(57)【特許請求の範囲】
【請求項１】
ダイレクトメールの抜き取りを管理する抜き取り管理装置が、ダイレクトメールの序列検査に利用する通数連番、発注先がそれぞれのダイレクトメールを識別するための検索コード、及び、抜き取り検査記録を登録するカラムが設けられたレコードがダイレクトメールの数に応じて含まれる検査用ファイルから、発注側が抜き取り対象品として指定した前記検索コードが記述された前記レコードを検索し、検索した前記レコードの前記通数連番を少なくとも記述した抜き取り対象品リストを生成する抜き取りリスト生成工程と、
序列検査装置が、製造されたダイレクトメールから読み取った前記通数連番を用いて序列検査する際、前記抜き取り対象品リストに記述されている前記通数連番を読み取ると、該通数連番を読み取ったダイレクトメールを抜き取るための処理を実行する抜き取り工程と、
前記抜き取り管理装置が、前記抜き取り工程で抜き取られたダイレクトメールから前記通数連番を読み取り、前記抜き取り対象品リストに記述された前記通数連番と照合し、前記通数連番の照合結果を前記検査用ファイルの抜き取り検査記録を登録するカラムに登録する抜き取り検査工程と、
を含むことを特徴とする、ダイレクトメールの抜き取り管理方法。
【請求項２】
ダイレクトメールの発注側から入稿された入稿データから、ダイレクトメール毎に異なる個別データを生成し、前記検索コードと前記通数連番を個別データそれぞれに付加した後、前記検査用ファイルを生成するデータ処理工程を含むことを特徴とする、請求項１に記載のダイレクトメールの抜き取り管理方法。
【請求項３】
前記抜き取り工程において、前記序列検査装置は、ダイレクトメールを抜き取るための処理として、前記抜き取り対象品リストに記述されている前記通数連番を読み取ったダイレクトメールを、前記序列検査装置から排出することを特徴とする、請求項１又は請求項２に記載のダイレクトメールの抜き取り管理方法。
【請求項４】
ダイレクトメールの序列検査に利用する通数連番、発注先がそれぞれのダイレクトメールを識別するための検索コード、及び、抜き取り検査記録を登録するカラムが設けられたレコードがダイレクトメールの数に応じて含まれる検査用ファイルから、発注側が抜き取り対象品として指定した前記検索コードが記述された前記レコードを検索し、検索した前記レコードの前記通数連番を少なくとも記述した抜き取り対象品リストを生成する抜き取りリスト生成手段と、前記抜き取り工程で抜き取られたダイレクトメールから前記通数連番を読み取り、前記抜き取り対象品リストに記述された前記通数連番と照合し、前記通数連番の照合結果を前記検査用ファイルの抜き取り検査記録を登録するカラムに登録する抜き取り検査手段を備えた抜き取り管理装置と、
製造されたダイレクトメールから読み取った前記通数連番を用いて序列検査する際、前記抜き取り対象品リストに記述されている前記通数連番を読み取ると、該通数連番を読み取ったダイレクトメールを抜き取るための処理を実行する抜き取り手段を備えた序列検査装置と、
から少なくとも構成されたことを特徴とする抜き取り管理システム。
【請求項５】
ダイレクトメールの発注側から入稿された入稿データから、ダイレクトメール毎に異なる個別データを生成し、前記検索コードと前記通数連番を個別データそれぞれに付加した後、前記検査用ファイルを生成するデータ処理装置を含むことを特徴とする、請求項４に記載の抜き取り管理システム。
【請求項６】
前記序列検査装置の前記抜き取り手段は、前記検索コードを読み取ったダイレクトメールを抜き取るための処理として、前記抜き取り対象品リストに記述されている前記通数連番を読み取ったダイレクトメールを、前記序列検査装置から排出することを特徴とする、請求項４又は請求項５に記載の抜き取り管理システム。
【発明の詳細な説明】
【技術分野】
【０００１】
本発明は、製造されたダイレクトメールの中から、郵送対象外となるダイレクトメールを抜き取るケースにおいて、抜き取り対象品となるダイレクトメールを管理するための技術に関する。
【背景技術】
【０００２】
個人情報漏洩が社会的な問題になり、個人情報が印刷されるダイレクトメールに対しても品質管理が要求されるようになった。
【０００３】
ダイレクトメールの品質管理を行う際、ダイレクトメールに係る品質記録を登録する品質管理装置が設けられ、ダイレクトメールの各製造工程において、ダイレクトメールに係る品質記録が検査され、ダイレクトメールの品質記録として検査結果が品質管理装置に登録される。
【０００４】
ダイレクトメールに係る品質記録は任意に設定可能であるが、例えば、ダイレクトメールに係る品質記録として、特許文献１で開示されている発明などを利用して、ダイレクトメールに封入する帳票の表裏印刷内容を検査した結果である表裏検査記録、特許文献２で開示されている発明などを利用して、ダイレクトメールに封入する複数の帳票を照合検査した結果である照合検査記録、及び、特許文献３で開示されている発明などを利用して、帳票を封入した後のダイレクトメールの序列を検査した結果である序列検査記録が品質管理装置に登録される。
【先行技術文献】
【特許文献】
【０００５】
【特許文献１】特開２０１０―５８１８号公報
【特許文献２】特開２００１−２４３３９９号公報
【特許文献３】特開平４―３２３７８６号公報
【発明の概要】
【発明が解決しようとする課題】
【０００６】
しかしながら、ダイレクトメールを製造した後、ダイレクトメールの発注側の都合により郵送を見送るダイレクトメールがあると、製造したダイレクトメールの中から、発注側が指定したダイレクトメールを抜き取る作業が実施されるが、ダイレクトメールの抜き取りを管理し、抜き取りに係る品質記録を取得することはできなかった。
【０００７】
そこで、本発明は、製造したダイレクトメールの中から、発注側が指定したダイレクトメールを抜き取る作業が実施される際、ダイレクトメールの抜き取りを管理し、抜き取りに係る品質記録を取得することができる抜き取り管理システム及び方法を提供することを目的とする。
【課題を解決するための手段】
【０００８】
上述した課題を解決する第１の発明は、ダイレクトメールの抜き取りを管理する抜き取り管理方法であって、抜き取り品となるダイレクトメールを指定するために、ダイレクトメールの抜き取りを管理する抜き取り管理装置が、ダイレクトメールの序列検査に利用する通数連番、発注先がそれぞれのダイレクトメールを識別するための検索コード、及び、抜き取り検査記録を登録するカラムが設けられたレコードがダイレクトメールの数に応じて含まれる検査用ファイルから、発注側が抜き取り対象品として指定した前記検索コードが記述された前記レコードを検索し、検索した前記レコードの前記通数連番を少なくとも記述した抜き取り対象品リストを生成する抜き取りリスト生成工程を含む。
【０００９】
また、第１の発明の抜き取り管理方法は、抜き取り品となるダイレクトメールを抜き取ることができるように、前記序列検査装置が、製造されたダイレクトメールから読み取った前記通数連番を用いて序列検査する際、前記抜き取り対象品リストに記述されている前記通数連番を読み取ると、該通数連番を読み取ったダイレクトメールを抜き取るための処理を実行する抜き取り工程を含む。
【００１０】
また、第１の発明の抜き取り管理方法は、前記抜き取り管理装置が、前記抜き取り工程で抜き取られたダイレクトメールから前記通数連番を読み取り、前記抜き取り対象品リストに記述された前記通数連番と照合し、前記通数連番の照合結果を前記検査用ファイルの抜き取り検査記録を登録するカラムに登録する抜き取り検査工程を含む。
【００１１】
更に、第２の発明は、第１の発明の抜き取り管理方法において、発注側から入稿された入稿データから検査用ファイルを生成できるように、ダイレクトメールの発注側から入稿された入稿データから、ダイレクトメール毎に異なる個別データを生成し、前記検索コードと前記通数連番を個別データそれぞれに付加した後、前記検査用ファイルを生成するデータ処理工程を含むことを特徴とする。
【００１２】
更に、第３の発明は、第１の発明又は第２の発明の抜き取り管理方法において、抜き取り品となるダイレクトメールを自動で抜き取れるように、前記抜き取り工程において、前記序列検査装置は、前記通数連番を読み取ったダイレクトメールを抜き取るための処理として、前記抜き取り対象品リストに記述されている前記通数連番を読み取ったダイレクトメールを、前記序列検査装置から排出することを特徴とする。
【００１３】
更に、第４の発明は、ダイレクトメールの抜き取りを管理する抜き取り管理システムであって、抜き取り品となるダイレクトメールを指定するために、ダイレクトメールの序列検査に利用する通数連番、発注先がそれぞれのダイレクトメールを識別するための検索コード、及び、抜き取り検査記録を登録するカラムが設けられたレコードがダイレクトメールの数に応じて含まれる検査用ファイルから、発注側が抜き取り対象品として指定した前記検索コードが記述された前記レコードを検索し、検索した前記レコードの前記通数連番を少なくとも記述した抜き取り対象品リストを生成する抜き取りリスト生成手段と、前記抜き取り工程で抜き取られたダイレクトメールから前記通数連番を読み取り、前記抜き取り対象品リストに記述された前記通数連番と照合し、前記通数連番の照合結果を前記検査用ファイルの抜き取り検査記録を登録するカラムに登録する抜き取り検査手段を備えた抜き取り管理装置を含む。
【００１４】
また、第４の発明の抜き取り管理システムは、抜き取り品となるダイレクトメールを抜き取ることができるように、製造されたダイレクトメールから読み取った前記通数連番を用いて序列検査する際、前記抜き取り対象品リストに記述されている前記通数連番を読み取ると、該通数連番を読み取ったダイレクトメールを抜き取るための処理を実行する抜き取り手段を備えた序列検査装置を含む。
【００１５】
更に、第５の発明は、第４の発明の抜き取り管理システムにおいて、発注側から入稿された入稿データから検査用ファイルを生成できるように、ダイレクトメールの発注側から入稿された入稿データから、ダイレクトメール毎に異なる個別データを生成し、前記検索コードと前記通数連番を個別データそれぞれに付加した後、前記検査用ファイルを生成するデータ処理装置を含むことを特徴とする。
【００１６】
更に、第６の発明は、第４の発明又は第５の発明の抜き取り管理システムにおいて、抜き取り品となるダイレクトメールを自動で抜き取れるように、前記序列検査装置の前記抜き取り手段は、前記検索コードを読み取ったダイレクトメールを抜き取るための処理として、前記抜き取り対象品リストに記述されている前記通数連番を読み取ったダイレクトメールを、前記序列検査装置から排出することを特徴とする。
【発明の効果】
【００１７】
このように、本発明によれば、製造したダイレクトメールの中から、発注側が指定したダイレクトメールを抜き取る作業が実施される際、ダイレクトメールの抜き取りを管理し、抜き取りに係る品質記録を取得することができる抜き取り管理システム及び方法を提供できる。
【図面の簡単な説明】
【００１８】
【図１】ダイレクトメールの製造工程を説明する図。
【図２】ダイレクトメールを説明する図。
【図３】抜き取り管理システムに含まれる装置の機能を説明する図。
【図４】データ処理工程を説明する図。
【図５】抜き取り対象品リスト生成工程を説明する図。
【図６】抜き取り工程を説明する図。
【図７】抜き取り検査工程を説明する図。
【発明を実施するための形態】
【００１９】
ここから，本発明の実施形態について，本発明の技術分野に係わる当業者が，発明の内容を理解し，発明を実施できる程度に説明する。なお、これから説明する実施形態は本発明の一実施形態にしか過ぎず、本発明は，これから説明する実施形態に限定されることなく、種々の変形や変更が可能である。
【００２０】
図１は、ダイレクトメールの製造工程１を説明する図、図２は、ダイレクトメールを説明する図、図３は、抜き取り管理システム７に含まれる装置の機能を説明する図である。
【００２１】
図２に図示したように、図１で図示したダイレクトメールの製造工程１で製造されるダイレクトメールは、ダイレクトメールの宛先となる顧客に係る情報が表裏に印刷された帳票８ａが窓付き封筒に同封された形態の郵便物で、帳票８ａには、ダイレクトメールの宛先となる顧客の住所・氏名に加え、序列検査に利用する通数連番がエンコードされた光学コード８ｂ（図２では、2次元バーコード）に加え、ダイレクトメールの内容（例えば、請求書）が印刷され、ダイレクトメールの宛先となる顧客の住所・氏名及び光学コード８ｂは窓付き封筒の窓を通して見えるように折り畳んだ状態で同封されている。
【００２２】
図２で図示したダイレクトメールを製造するために、図１で図示したダイレクトメールの製造工程１には、ダイレクトメールの発注側から入稿された入稿データから、ダイレクトメールの印刷に利用する個別データをダイレクトメール毎に生成し、ダイレクトメールの発注先がそれぞれのダイレクトメールを識別するための検索コードと序列検査で利用する通数連番を個別データそれぞれに付加した後、検索コード、序列検査、後のダイレクトメールの製造工程１で得られる品質記録を登録するためのカラムが設けられたレコードが通数連番順に並べられた検査用ファイルを生成するデータ処理工程１ａと、指定された検査用ファイルから、抜き取り対象品として指定された検索コードに対応するレコードを検索し、検索したレコードの通数連番が記述された抜き取り対象品リストを生成する抜き取り対象品リスト生成工程１ｄと、個別データを利用してダイレクトメールに封入する帳票８ａを印刷するプリント工程１ｂと、プリント工程１ｂで印刷された帳票８ａを窓付き封筒に封入封緘する封入封緘工程１ｃと、封入封緘されたダイレクトメールの窓から見える光学コード８ｂにエンコードされた通数連番を読み取りダイレクトメールの序列検査を行い、抜き取り対象リストに通数連番が記述されているダイレクトメールが抜き取られる抜き取り工程１ｆと、抜き取り工程１ｆで抜き取られたダイレクトメールから読み取った通数連番と、抜き取り対象リストに記述されている通数連番を照合する抜き取り検査工程１ｅと、抜き取り対象品とならない発送品を出荷する出荷工程１ｇが含まれる。
【００２３】
また、図１では、ダイレクトメールの製造に係る装置として、データ処理工程１ａで利用されるデータ処理装置５と、抜き取り対象品リスト生成工程１ｄ及び抜き取り検査工程１ｅで利用される抜き取り管理装置２と、プリント工程１ｂで利用されるデジタルプリンタ６ａと、封入封緘工程１ｃで利用される封入封緘機６ｂと、抜き取り工程１ｆで利用される序列検査装置３と、ダイレクトメールに係る様々な品質記録が登録される品質管理ＤＢ４（DB: DataBase）を図示している。
【００２４】
図１で図示したダイレクトメールの製造工程１に含まれる工程の中で、本発明の対象となる工程は、データ処理工程１ａ、抜き取り対象品リスト生成工程１ｄ、抜き取り工程１ｆ及び抜き取り検査工程１ｅで、これ以降、プリント工程１ｂ、封入封緘工程１ｃ及び出荷工程１ｇは、本発明とは直接的に関わりがないためここでは説明を省く。
【００２５】
図３（ａ）は、本実施形態に係る抜き取り管理システム７に含まれる装置を図示し、図３（ａ）に図示したように、本実施形態に係る抜き取り管理システム７には、データ処理工程１ａで利用されるデータ処理装置５、抜き取り対象品リスト生成工程１ｄと抜き取り検査工程１ｅで利用される抜き取り管理装置２、抜き取り工程１ｆで利用される序列検査装置３、及び、データ処理工程１ａで生成された検査用ファイルが登録される品質記録ＤＢ４が含まれる。
【００２６】
図３（ｂ）に図示したように、データ処理装置５には、データ処理工程１ａを実行するために、ダイレクトメールの発注側から入稿された入稿データから、ダイレクトメールの印刷に利用する個別データをダイレクトメール毎に生成し、検索コードと通数連番を付加した個別データを含む製造用ファイルを生成した後、該製造用ファイルに含まれる個別データを展開することで、検索コード、序列検査、後のダイレクトメールの製造工程１で得られる品質記録を登録するためのカラムが設けられたレコードが通数連番順に並べられた検査用ファイルを生成するデータ処理手段５０が備えられる。
【００２７】
なお、本実施形態において、検査用ファイルのレコードには、ダイレクトメールの製造工程１で得られる品質記録を登録するためのカラムとして、抜き取り対象品リスト生成工程１ｄで得られる品質記録で、抜き取り対象品とするダイレクトメールの通数連番が少なくとも記述された抜き取り対象品リストの内容を登録するためのカラム、プリント工程１ｂで得られる品質記録で、ダイレクトメールに封入する帳票８ａの表裏整合性を検査した結果である表裏検査記録の内容を登録するためのカラム、封入封緘工程１ｃで得られる品質記録で、同一のダイレクトメールに封入した帳票８ａを検査した結果である封入検査記録の内容を登録するためのカラム、抜き取り工程１ｆで得られる品質記録で、帳票８ａを封入した後のダイレクトメールの序列を検査した結果である序列検査記録の内容を登録するためのカラム、抜き取り検査工程１ｅで得られる品質記録で、抜き取り工程１ｆで抜き取られたダイレクトメールの通数連番と、抜き取り対象リストに記述されている通数連番を照合した結果である抜き取り検査記録の内容を登録するためのカラム、出荷工程１ｇで得られる品質記録で、郵送対象となるダイレクトメールを出荷確認した結果である出荷確認記録の内容を登録するためのカラムが設けられる。
【００２８】
また、図３（ｃ）に図示したように、抜き取り管理装置２には、上述した抜き取り対象品リスト生成工程１ｄと抜き取り検査工程１ｅを実行するために、抜き取り対象品として指定されたダイレクトメールの検索コードに対応するレコードを検査用ファイルから検索し、ダイレクトメールの品質記録として、検索したレコードの通数連番が記述された抜き取り対象品リストを生成し、抜き取り対象品リストの内容を品質管理ＤＢ４に記憶されている検査用ファイルに反映させる抜き取り対象品リスト生成手段２０と、抜き取り対象品として抜き取られたダイレクトメールから通数連番を読み取り、抜き取り対象品リストに記述された通数連番と照合し、通数連番の照合結果を抜き取り検査記録として記憶すると共に、抜き取り検査記録の内容を品質管理ＤＢ４に記憶されている検査用ファイルに反映させる抜き取り検査手段２１が備えられ、図３（ｂ）では図示していないが、ダイレクトメールの窓から見える光学コード８ｂにエンコードされた検索コードを読み取る光学コードリーダが抜き取り管理装置２に接続されている。
【００２９】
また、図３（ｄ）に図示したように、序列検査装置３には、抜き取り工程１ｆを実行するために、光学コードリーダを用いてダイレクトメールから通数連番を読み取り、ダイレクトメールから読み取った通数連番を用いて序列検査を行い、抜き取り対象品リストに記述されている通数連番を読み取った場合、該通数連番を読み取ったダイレクトメールを抜き取るための処理を実行する抜き取り検査手段２１が備えられる。
【００３０】
ダイレクトメールから読み取った通数連番を用いて序列検査を行うために、序列検査装置３には、ダイレクトメールを順次搬送する搬送機構が接続され、この搬送機構には、搬送されるダイレクトメールの窓から見える光学コード８ｂにエンコードされた通数連番を読み取る光学コードリーダが接続されている。
【００３１】
ここから、ダイレクトメールの製造工程１に含まれる各工程について説明する。まず、ダイレクトメールの製造工程１に含まれるデータ処理工程１ａについて説明する。図４は、データ処理工程１ａを説明する図である。データ処理工程１ａを実行する際、ダイレクトメールの発注側から入稿される入稿データがデータ処理装置５に入力される（Ｓ１）。
【００３２】
ダイレクトメールの発注側から入稿される入稿データには、宛先となる住所・氏名、請求書の内容などが含まれ、データ処理装置５のデータ処理手段５０は、印刷対象の抽出、名寄せ、並び替えを行うことで、製造するダイレクトメール毎に、ダイレクトメールの印刷に利用する個別データを生成し、各ダイレクトメールを発注側が識別するための検索コードと序列検査に利用する通数連番を個別データに付加した後、ダイレクトメールの品目を特定するための品目データを付加することで、ダイレクトメール毎の個別データを含む製造用ファイルを生成する（Ｓ２）。
【００３３】
製造用ファイルを生成した後、データ処理装置５は、製造用ファイルに含まれる個別データを展開することで、検索コード、序列検査、ダイレクトメールの製造工程１で得られる品質記録を登録するためのカラムが設けられたレコードが通信連番順に並べられ、ダイレクトメールの品目を特定するための品目データを付加した検査用ファイルを生成する（Ｓ３）。
【００３４】
データ処理装置５は、検査用ファイルを生成すると、検査用ファイルを品質記録ＤＢ４に登録した後（Ｓ４）、検査用ファイルを抜き取り管理装置２に登録して（Ｓ５）、この手順を終了する。
【００３５】
次に、ダイレクトメールの製造工程１に含まれる抜き取り対象品リスト生成工程１ｄについて説明する。図５は、抜き取り対象品リスト生成工程１ｄを説明する図である。抜き取り対象品リストを生成する際、抜き取り管理装置２は、抜き取り管理装置２を操作するオペレータのログイン処理を実行し（Ｓ１０）、このログイン処理は、抜き取り管理装置２に入力されたユーザＩＤ及びパスワードを照合することでなされる。
【００３６】
抜き取り管理装置２を操作するオペレータがログインに成功すると、抜き取り管理装置２の抜き取り対象品リスト生成手段２０は、品質記録ＤＢ４に問い合わせるなどして、この時点で出荷が終了していない検査用ファイルの品目データ一覧を表示し、抜き取り対象品リストを生成する品目をオペレータに選択させる（Ｓ１１）。
【００３７】
抜き取り対象品リストを生成する品目が選択されると、抜き取り管理装置２の抜き取り対象品リスト生成手段２０は、手動で検索コードを入力させるようにするか、また、ファイルから読み取るようにして、抜き取り対象品とするダイレクトメールの検索コードを取得する（Ｓ１２）。
【００３８】
抜き取り対象品とするダイレクトメールの検索コードを取得すると、抜き取り管理装置２の抜き取り対象品リスト生成手段２０は、選択された品目に対応する検査用ファイルを品質記録ＤＢ４から取得し、該検査用ファイルに含まれるレコードの中から、抜き取り対象品とするダイレクトメールの検索コードに対応するレコードを検索し、検索したレコードに記載されている通数連番が記述され、検査用ファイルの品目データを付加した抜き取り候補品リストを生成して記憶する（Ｓ１３）。
【００３９】
抜き取り管理装置２の抜き取り対象品リスト生成手段２０が生成する抜き取り候補品リストは、発注側が抜き取り対象品となるダイレクトメールを確認するために利用され、抜き取り候補品リストの確認結果が製造側に送信された後、抜き取り管理装置２の抜き取り対象品リスト生成手段２０は、発注側の抜き取り候補品リストの確認結果に基づく抜き取り対象品リストを生成する（Ｓ１４）。
【００４０】
本実施形態において、抜き取り管理装置２の抜き取り対象品リスト生成手段２０には、抜き取り候補品リストをオペレータが編集する機能が備えられ、オペレータが発注側による確認結果を抜き取り候補品リストに反映することで、抜き取り候補品リストから抜き取り対象品リストが生成される。
【００４１】
抜き取り管理装置２の抜き取り対象品リスト生成手段２０は、抜き取り候補品リストの確認結果に基づく抜き取り対象品リストを生成すると、ダイレクトメールの品質記録の一つとして、抜き取り対象品リストに記述されている通数連番に対応するレコードを対象とし、抜き取り対象品リストの内容を登録するためのカラムにフラグを書き込むなどして、抜き取り対象品リストの内容を選択された検査用ファイルに登録し（Ｓ１５）、図５の手順は終了する。
【００４２】
次に、ダイレクトメールの製造工程１に含まれる抜き取り工程１ｆについて説明する。図６は、抜き取り工程１ｆを説明する図である。序列検査装置３の抜き取り手段２１は、序列検査を行う際、品質記録ＤＢ４に問い合わせるなどして、この時点で出荷が終了していない検査用ファイルの品目データ一覧を表示し、序列検査する品目をオペレータに選択させることで、序列検査に利用する検査用ファイル及び抜き取り対象品リストを選択する（Ｓ２０）。
【００４３】
序列検査に利用する検査用ファイル及び抜き取り対象品リストを選択すると、序列検査装置３の抜き取り手段２１は、ダイレクトメールの搬送開始を搬送機構に指示した後、搬送機構に接続されたエンコードや光学センサなどを用いて生成される所定のトリガーが発生すると、光学コードリーダを用いてダイレクトメールの窓から見える光学コード８ｂから通信連番を読み取る（Ｓ２１）。
【００４４】
光学コード８ｂから通信連番を読み取ると、序列検査装置３の抜き取り手段２１は、ダイレクトメールから読み取った通信連番が、選択した抜き取り対象品リストに記述されている通数連番であるか判定する（Ｓ２２）。
【００４５】
ダイレクトメールから読み取った通数連番が、抜き取り対象品指定リストに記述されている通数連番である場合、序列検査装置３の抜き取り検査手段２１は、抜き取り対象品リストに記述されている通数連番を読み取ったダイレクトメールを抜き取るための処理として、通数連番を読み取ったダイレクトメールを序列検査装置３から排出する処理、又は、抜き取り対象品指定リストに記述されている通数連番を読み取ったことを音声や光で通知する処理を行う（Ｓ２３）。
【００４６】
抜き取り対象品指定リストに記述されている通数連番を読み取ったダイレクトメールを序列検査装置３から排出すれば、抜き取り工程１ｆを自動化できるし、また、抜き取り対象品指定リストに記述されている通数連番を読み取ったことを音声や光で通知すれば、序列検査を行うオペレータは、抜き取り対象品リストを参照することで、搬送機構上にあるダイレクトメールの中から抜き取り対象品となるダイレクトメールを見付け易くなる。
【００４７】
次に、序列検査装置３の抜き取り検査手段２１は、選択した検査用ファイルから、通数連番を読み取った回数に応じたレコードから通数連番を取得し、ダイレクトメールから読み取った通数連番と検査用ファイルから取得した通数連番を照合することで序列検査を行い、序列検査記録の内容を登録するためのカラムに序列検査の合格／不合格を示すフラグを登録することで、序列検査の結果を検査用ファイルに登録する（Ｓ２４）。
【００４８】
ダイレクトメールから読み取った通数連番と検査用ファイルから取得した通数連番を照合することで序列検査を行った後、序列検査装置３の抜き取り検査手段２１は、通数連番を取得したレコードが最後のレコードであるか確認し（Ｓ２５）、最後のレコードでなければ、ダイレクトメールから通数連番を読み取る処理に戻り、また、最後のレコードであれば、図６の手順を終了する。
【００４９】
最後に、ダイレクトメールの製造工程１に含まれる抜き取り検査工程１ｅについて説明する。図７は、抜き取り検査工程１ｅを説明する図である。抜き取り工程１ｆが実施されることで、製造されたダイレクトメールの中から、抜き取り対象品リストで指定されたダイレクトメールが抜き取り対象品として抜き取られると、抜き取り対象品として抜き取られたダイレクトメールから読み取った通数連番と、抜き取り指定リストに記述された通数連番を照合する抜き取り検査が実行される。
【００５０】
抜き取り検査を行う際、品目を特定する情報が抜き取り管理装置２の抜き取り検査手段２１に入力され、抜き取り管理装置２の抜き取り検査手段２１は、抜き取り管理装置２に登録されている抜き取り対象品リストの一覧を表示し、抜き取り検査に利用する抜き取り対象品リストをオペレータに選択させることで、抜き取り検査に利用する抜き取り対象品リストを選択する（Ｓ３０）。
【００５１】
抜き取り検査に利用する抜き取り対象品リストが選択されると、抜き取り対象品として抜き取られたダイレクトメール毎に、抜き取り対象品として抜き取られたダイレクトメールの窓から見える光学コード８ｂにエンコードされた通数連番を抜き取り管理装置２に接続された光学コードリーダで読み取り、読み取った通数連番が抜き取り対象品リストに記述されているか確認することで、抜き取り対象品として抜き取られたダイレクトメールから読み取った通数連番と、抜き取り対象品リストに記述された通数連番を照合する（Ｓ３１）。
【００５２】
抜き取り対象品として抜き取られたダイレクトメール全てについて、抜き取り対象品として抜き取られたダイレクトメールから読み取った通数連番と、抜き取り対象品リストに記述された通数連番を照合すると、ダイレクトメールの製造工程１の品質記録の一つとして、抜き取り対象品リストに記述されている通数連番に対応するレコードを対象とし、抜き取り検査の内容を登録するためのカラムに照合結果を示すフラグを書き込むなどして、
抜き取り検査記録を選択した検査用ファイルに登録して（Ｓ３２）、図７の手順を終了する。
【符号の説明】
【００５３】
１    ダイレクトメールの製造工程
１ａ  データ処理工程
１ｂ  プリント工程
１ｄ  抜き取り対象品リスト生成工程
１ｃ  封入封緘工程
１ｆ  抜き取り工程
１ｅ  検査工程
１ｇ  出荷工程
２    抜き取り管理装置
２０  抜き取り対象品リスト生成手段
２１  抜き取り検査手段
３    序列検査装置
３０  抜き取り手段
４    品質管理ＤＢ
５    データ処理装置
５０  データ処理手段
６ａ  デジタルプリンタ
６ｂ  封入封緘機
７    抜き取り管理システム
【図１】
0005664423.tif 000002
【図２】
0005664423.tif 000003
【図３】
0005664423.tif 000004
【図４】
0005664423.tif 000005
【図５】
0005664423.tif 000006
【図６】
0005664423.tif 000007
【図７】
0005664423.tif 000008